(57)【要約】【課題】表示パネルにおいて目標色特性を実現するために、目標となる色特性である目標色特性値と、基準となる基準データと、表示パネルの測色値とに基づき、補正データを生成する補正データ生成装置等を提供する。【解決手段】表示パネルの補正データを生成する補正データ生成装置において、パネルの表示色を測定して得られた色値であるパネル測色値と、基準となる色値である基準データ特性値と、前記表示パネルにおいて再現したい色値である目標色特性値とに基づき、前記補正データを生成する。ここで、前記パネル測色値を線形補間によって補間した値と、前記基準データ特性値から算出した差分データとに基づき拡張データを求める。さらに、前記拡張データと、前記目標色特性値とから、補正データを生成する。【選択図】図４
2019095711.tif 000002
【特許請求の範囲】
【請求項１】
表示装置が、入力された画像信号を補正して表示パネルに出力するときに用いる補正データを生成する補正データ生成装置において、
第１の階調データに対して、前記表示パネルの表示色を測定して得られた色値であるパネル測色値を取得するパネル測色値取得部と、
第２の階調データに対して前記表示パネルにおいて目標となる色値である目標色特性値と、当該第２の階調データに対して前記表示パネルの基準となる色値である基準データ特性値とを記憶する記憶部と、
前記パネル測色値と、前記基準データ特性値と、前記目標色特性値とに基づき、前記補正データを生成する補正データ生成部と、
を備え、
前記補正データ生成部は、
前記パネル測色値から、前記第２の階調データに対応する第１の補間データを算出し、
前記基準データ特性値と、前記基準データ特性値から前記第１の階調データの色値を抽出し、前記第２の階調データに対応して算出された第２の補間データとの差分である差分データを算出し、
前記第１の補間データと前記差分データとに基づき算出した拡張データと、前記目標色特性値とに基づき、補正データを生成する
ことを特徴とする補正データ生成装置。
【請求項２】
前記第１の階調データとして利用される色数は前記第２の階調データとして利用される色数以下であることを特徴とする請求項１に記載の補正データ生成装置。
【請求項３】
前記補間データは、前記パネル測色値から、前記第２の階調データのみに含まれる階調に対応する色値を、線形補間により算出したデータであることを特徴とする請求項１又は２に記載の補正データ生成装置。
【請求項４】
前記差分データは、前記基準データ特性値から、前記第２の階調データにのみ含まれる階調データに対応する色値を線形補間により補間値を算出し、当該補間値から基準データ特性値を減じることによって算出したデータであることを特徴とする請求項１から３の何れか一項に記載の補正データ生成装置。
【請求項５】
前記拡張データは、前記補間データから前記差分データを減じることによって算出したデータであることを特徴とする請求項１から４の何れか一項に記載の補正データ生成装置。
【請求項６】
前記記憶部は、複数の目標色特性値を記憶し、
前記補正データ生成部は、前記複数の目標色特性値に対し、それぞれ対応した補正データを生成することを特徴とする、請求項１から５の何れか一項に記載の補正データ生成装置。
【請求項７】
前記パネル測色値取得部は、第２の階調データにのみ含まれる１又は複数の階調に対する色値をさらに取得し、
前記補正データ生成部は、前記拡張データを、前記第２の階調データにのみ含まれる１又は複数の階調に対する色値に置き換えた上で補正データを生成する
ことを特徴とする請求項１から６の何れか一項に記載の補正データ生成装置。
【請求項８】
前記補正データ生成装置は、さらに前記補正データを適用した後の表示パネルを測色し、所定の検査基準を満たすかを判定する評価判定部をさらに有し、
前記評価判定部により所定の検査基準を満たさないと判定された場合は、再度パネル測色値を取得し、補正データを生成することを特徴とする、請求項１から７の何れか一項に記載の補正データ生成装置。
【請求項９】
前記補正データ生成部は、前記評価判定部により所定の検査基準を満たさないと判定された場合は、前記目標色特性値から、前記第２の階調データにのみ含まれる階調データに対する色値を線形補間によって求め、さらに基準データ特性値を減じることによって算出された値を差分データとし、前記補間データと当該差分データとを演算して求めた拡張データと、前記目標色特性値とから、補正データを生成することを特徴とする請求項８に記載の補正データ生成装置。
【請求項１０】
表示パネルと、表示パネルの特性に応じて画像信号を補正する補正データを生成する補正データ生成装置と、入力された画像信号を、前記補正データに基づいて補正し、前記表示パネルに表示制御する表示制御装置と、を備えた表示装置であって、
前記表示制御装置は、請求項１から９の何れか一項に記載の補正データ生成装置により構成されていることを特徴とする表示装置。
【請求項１１】
複数の請求項１０に記載の表示装置をマトリクス状に配置し、１つの映像データを当該複数の表示装置に分割して１つの映像として表示する表示装置。
【請求項１２】
表示装置が、入力された画像信号を補正して表示パネルに出力するときに用いる補正データを生成する補正データ生成方法において、
第１の階調データに対して、前記表示パネルの表示色を測定して得られた色値であるパネル測色値を取得するパネル測色値取得ステップと、
第２の階調データに対して前記表示パネルにおいて目標となる色値である目標色特性値と、当該第２の階調データに対して前記表示パネルの基準となる色値である基準データ特性値とを記憶する記憶ステップと、
前記パネル測色値と、前記基準データ特性値と、前記目標色特性値とに基づき、前記補正データを生成する補正データ生成ステップと、
を含み、
前記補正データ生成ステップは、
前記パネル測色値から、前記第２の階調データに対応する第１の補間データを算出し、
前記基準データ特性値と、前記基準データ特性値から前記第１の階調データの色値を抽出し、前記第２の階調データに対応して算出された第２の補間データとの差分である差分データを算出し、
前記第１の補間データと前記差分データとに基づき算出した拡張データと、前記目標色特性値とに基づき、補正データを生成する
ことを特徴とする補正データ生成方法。
【請求項１３】
表示装置が、入力された画像信号を補正して表示パネルに出力するときに用いる補正データを生成するコンピュータに、
第１の階調データに対して、前記表示パネルの表示色を測定して得られた色値であるパネル測色値を取得するパネル測色値取得機能と、
第２の階調データに対して前記表示パネルにおいて目標となる色値である目標色特性値と、当該第２の階調データに対して前記表示パネルの基準となる色値である基準データ特性値とを記憶する記憶機能と、
前記パネル測色値と、前記基準データ特性値と、前記目標色特性値とに基づき、前記補正データを生成する補正データ生成機能と、
を実現させ、
前記補正データ生成機能は、
前記パネル測色値から、前記第２の階調データに対応する第１の補間データを算出し、
前記基準データ特性値と、前記基準データ特性値から前記第１の階調データの色値を抽出し、前記第２の階調データに対応して算出された第２の補間データとの差分である差分データを算出し、
前記第１の補間データと前記差分データとに基づき算出した拡張データと、前記目標色特性値とに基づき、補正データを生成する
ことを特徴とするプログラム。
【発明の詳細な説明】
【技術分野】
【０００１】
本発明は、補正データ生成装置等に関する。
【背景技術】
【０００２】
近年、大画面の表示装置を用いたサイネージやインフォメーションディスプレイなどの用途が広がっている。また、１枚のディスプレイで大画面表示ができるものや、複数のディスプレイをマトリクス状に配置することでマルチディスプレイとして構成し、大画面化して表示を行うシステムが増えてきている。
【０００３】
液晶パネルを用いたディスプレイの場合、一対のガラス基板の間に液晶物質を封入した液晶パネルと、この液晶パネルの背面に配置されたバックライトとを備える構成であり、ＰＣ（パーソナルコンピュータ）又は再生装置等の外部装置から与えられる画像信号に応じて液晶パネルを駆動することにより、画像を表示している。
【０００４】
液晶表示装置には液晶パネルの駆動回路としてゲートドライバ及びソースドライバが搭載されており、ゲートドライバ及びソースドライバが液晶パネルの各画素を駆動するトランジスタのゲート及びソースに接続されて、入力された画像信号に基づいてトランジスタのオン／オフを制御すると共に、オンに制御されたトランジスタに画像信号に応じた電圧（液晶パネルへの入力レベル）を印加して、液晶物質の電気光学特性により決定される光透過率を変化させる。これにより、液晶表示装置は、バックライトから照射されて液晶パネルを透過する光の量を画素毎に制御して画像を階調表示することができる。
【０００５】
液晶パネルは液晶物質が封入されたガラス基板間の距離、所謂セルギャップにより液晶物質の電気光学特性が決定されるが、製造バラツキなどの要因で設計値に対してセルギャップが狭い画素と広い画素とが混在し、液晶パネルの光透過率が設計値からずれ、所望の階調特性が得られない場合がある。
【０００６】
また、複数のディスプレイをマトリクス状に配置することでマルチディスプレイとして構成し、大画面化して表示を行うシステムにおいても、各々のディスプレイの表示特性が完全に同一ではないため、ディスプレイ間で表示する階調や色が異なる場合がある。
【０００７】
そこで、表示部のムラを抑制するための技術が提案されている。例えば、第１所定数の表示色の各々について、階調データと基準値との対応関係が示されている基準データを記憶し、補正データ出力において、基準データと、第１所定数よりも少ない第２所定数の表示色の各々の測色値とに基づき、第２所定数の表示色の各々の階調データに対する補正量または補正値を示した補正データを表示部の画素毎に求め、パネル表示部のムラ補正を行う技術が開示されている（例えば、特許文献１）。
【０００８】
また、表示装置毎に試験画像を表示させて輝度および色度を測定し、測定結果に基づいて表示品質が最適となる配置パターンを判定する判定方法が開示されている（例えば、特許文献２）。
【先行技術文献】
【特許文献】
【０００９】
【特許文献１】特開２０１５−１４２３５２号公報
【特許文献２】特開２０１４−２６１２０号公報
【発明の概要】
【発明が解決しようとする課題】
【００１０】
しかしながら、特許文献１に記載されている技術では、表示面の中央部と周辺部とで相対輝度差が大きいパネルや、表示面の色ムラが目立つ表示装置を使った場合には、液晶表示装置の面内での輝度ムラ、色ムラを補正することは可能であるが、これらの表示装置をマルチディスプレイとして複数配置した場合において、複数の表示パネル間の色を統一させ、面間のバラツキを抑制させるためには、表示装置の表示部を撮影して、最適配置用の調整を必要とするなど、手間と時間を必要とする課題がある。
【００１１】
また、特許文献２に記載されている技術では、表示装置毎の測定と調整が必要となり、同じく手間と時間がかかるといった課題がある。
【００１２】
表示パネル特性の個体差バラツキを吸収しつつ、かつ、目標とする色再現特性を高精度に実現するために、３次元ルックアップテーブル（以下、３ＤＬＵＴ）を用いて、表示パネルの色再現特性を変換し、目標とする色再現特性を高精度に実現することも考えられる。この場合も、表示パネルの特性を把握するためには、当該表示パネルが表示する色を多く測定することが好ましいが、生産工程においては、時間的制約を受けるため、測定数は限られる。
【００１３】
上述した課題に鑑み、本発明は、目標とする色再現特性を実現するために、基準となる基準データと、表示パネルの測色値とに基づき、表示パネルの補正データを生成する補正データ生成装置等を提供することを目的とする。
【課題を解決するための手段】
【００１４】
上述した課題を解決するために、本発明の補正データ生成装置は、
表示装置が、入力された画像信号を補正して表示パネルに出力するときに用いる補正データを生成する補正データ生成装置において、
第１の階調データに対して、前記表示パネルの表示色を測定して得られた色値であるパネル測色値を取得するパネル測色値取得部と、
第２の階調データに対して前記表示パネルにおいて目標となる色値である目標色特性値と、当該第２の階調データに対して前記表示パネルの基準となる色値である基準データ特性値とを記憶する記憶部と、
前記パネル測色値と、前記基準データ特性値と、前記目標色特性値とに基づき、前記補正データを生成する補正データ生成部と、
を備え、
前記補正データ生成部は、
前記パネル測色値から、前記第２の階調データに対応する第１の補間データを算出し、
前記基準データ特性値と、前記基準データ特性値から前記第１の階調データの色値を抽出し、前記第２の階調データに対応して算出された第２の補間データとの差分である差分データを算出し、
前記第１の補間データと前記差分データとに基づき算出した拡張データと、前記目標色特性値とに基づき、補正データを生成する
ことを特徴とする。
【００１５】
本発明の表示装置は、
表示パネルと、表示パネルの特性に応じて画像信号を補正する補正データを生成する補正データ生成装置と、入力された画像信号を、前記補正データに基づいて補正し、前記表示パネルに表示制御する表示制御装置と、を備えた表示装置であって、
前記表示制御装置は、前記補正データ生成装置により構成されていることを特徴とする。
【００１６】
本発明の補正データ生成方法は、
表示装置が、入力された画像信号を補正して表示パネルに出力するときに用いる補正データを生成する補正データ生成方法において、
第１の階調データに対して、前記表示パネルの表示色を測定して得られた色値であるパネル測色値を取得するパネル測色値取得ステップと、
第２の階調データに対して前記表示パネルにおいて目標となる色値である目標色特性値と、当該第２の階調データに対して前記表示パネルの基準となる色値である基準データ特性値とを記憶する記憶ステップと、
前記パネル測色値と、前記基準データ特性値と、前記目標色特性値とに基づき、前記補正データを生成する補正データ生成ステップと、
を含み、
前記補正データ生成ステップは、
前記パネル測色値から、前記第２の階調データに対応する第１の補間データを算出し、
前記基準データ特性値と、前記基準データ特性値から前記第１の階調データの色値を抽出し、前記第２の階調データに対応して算出された第２の補間データとの差分である差分データを算出し、
前記第１の補間データと前記差分データとに基づき算出した拡張データと、前記目標色特性値とに基づき、補正データを生成する
ことを特徴とする。
【００１７】
本発明のプログラムは、
表示装置が、入力された画像信号を補正して表示パネルに出力するときに用いる補正データを生成するコンピュータに、
第１の階調データに対して、前記表示パネルの表示色を測定して得られた色値であるパネル測色値を取得するパネル測色値取得機能と、
第２の階調データに対して前記表示パネルにおいて目標となる色値である目標色特性値と、当該第２の階調データに対して前記表示パネルの基準となる色値である基準データ特性値とを記憶する記憶機能と、
前記パネル測色値と、前記基準データ特性値と、前記目標色特性値とに基づき、前記補正データを生成する補正データ生成機能と、
を実現させ、
前記補正データ生成機能は、
前記パネル測色値から、前記第２の階調データに対応する第１の補間データを算出し、
前記基準データ特性値と、前記基準データ特性値から前記第１の階調データの色値を抽出し、前記第２の階調データに対応して算出された第２の補間データとの差分である差分データを算出し、
前記第１の補間データと前記差分データとに基づき算出した拡張データと、前記目標色特性値とに基づき、補正データを生成する
ことを特徴とする。
【発明の効果】
【００１８】
本発明によれば、目標色特性値を実現するための補正データを、パネル測色値を補間した補間データと、基準データ特性値を用いて算出した差分データとから求めた拡張データに基づいて生成することができる。
【図面の簡単な説明】
【００１９】
【図１】第１実施形態における表示較正システムの基本構成を説明するための図である。
【図２】第１実施形態におけるシステム構成図を説明するための図である。
【図３】第１実施形態における処理の流れを説明するための動作フローである。
【図４】第１実施形態における色特性マッチングデータ生成処理を説明するため図である。
【図５】第１実施形態におけるグリッド番号と階調値を説明するための図である。
【図６】第１実施形態における（ａ）基準データ特性値、（ｂ）基準データ特性値からパネル測色値に対応する色の抽出後のデータの例である。
【図７】第１実施形態における測定データと補間データとの関係を説明するための図である。
【図８】第１実施形態における（ａ）基準データ特性値、（ｂ）基準データ特性値補間データ、（ｃ）差分データの例である。
【図９】第１実施形態におけるパネル測色値を説明するための図である。
【図１０】第１実施形態におけるパネル測色値補間データとパネル測色値拡張データとの比較を説明するための図である。
【図１１】第１実施形態における３ＤＬＵＴ補正後データを説明するための図である。
【図１２】第２実施形態における色特性マッチングデータ生成処理を説明するため図である。
【図１３】第３実施形態における色特性マッチングデータ生成処理を説明するため図である。
【図１４】第４実施形態における処理の流れを説明するための動作フローである。
【図１５】第４実施形態におけるシステム構成図を説明するための図である。
【発明を実施するための形態】
【００２０】
以下、本発明の実施の形態について、図面を参照して説明する。なお、本実施形態では、一例として、本発明の補正データ生成装置を含むシステムについて説明する。なお、本実施形態における表示装置は、予め色ムラ補正処理によって、表示パネルの面内の色が均一に補正されているものとする。色ムラ補正処理に関しては、例えば、特許文献１の方法を用いて実施する。
【００２１】
［１．第１実施形態］
［１．１  全体構成］
まず、本実施形態の表示較正システム１の全体構成について、図１に基づいて説明する。図１に示すように、表示較正システム１は、表示装置１０と、補正データ生成装置であるシステム制御装置５０と、測定器６０とを含んでいる。
【００２２】
表示装置１０は、インターフェース２０から入力される画像信号に基づき、画像を表示部４４に出力（表示）する装置である。ここで、表示部４４は、画像が表示される表示パネルに、表示パネル制御装置（コントローラ）が接続されたものである。
【００２３】
表示パネル制御装置は、表示パネルを制御する装置である。例えば、バックライトを制御することにより、明るさの制御を行ったりする装置である。
【００２４】
ここで、表示装置１０は、表示パネル毎に出力する色域に差異があったり、バラツキがあったりするため、異なる特性を有している。したがって、同一の画像信号を、同一機種の表示装置に入力しても必ずしも同じ色で表示されるとは限らない。
【００２５】
そこで、表示装置１０は、補正データを有しており、入力された画像信号を補正データに基づいて補正することにより、所望の色で出力することが可能となる。
【００２６】
ここで、画像信号を補正する方法としては、明るさを補正するガンマ補正や、入力された階調に対して出力する階調を変換するルックアップテーブル（以下、「ＬＵＴ」と表す）を利用して補正するものがある。
【００２７】
ＬＵＴは、予め計算された結果が格納されているテーブルである。表示装置は、入力された画像信号（例えば、ＲＧＢ各色８ビットの入力信号）を、ＬＵＴを利用してマッピングし、表示パネルに適した出力信号を算出する。これにより、表示パネルのバラツキが補正される。
【００２８】
また、ＬＵＴを利用する補正方法には、ＲＧＢ各色のＬＵＴを利用する方法と別に、３次元で表現した３次元ＬＵＴ（以下、「３ＤＬＵＴ」と表す）で補正する方法がある。３ＤＬＵＴを利用することにより、中間階調のポイントを持つことから、ＲＧＢの色再現性が向上する。以下、本実施形態では、画像信号を補正する補正データとして、３ＤＬＵＴデータを利用する場合について説明する。
【００２９】
システム制御装置５０は、補正データを生成する装置である。また、表示装置１０の表示部４４に試験画像を表示させたり、測定器６０に測定要求信号を送信し、当該測定器６０からの測定結果を受信したりする等、表示装置１０と測定器６０との連携を実現するための装置である。例えば、コンピュータやタブレットといった情報処理装置によって実現される。
【００３０】
測定器６０は、ＵＳＢやＲＳ２３２Ｃ端子等の入出力端子を備えた、測色を行う測定器である。測定器６０は、システム制御装置５０からの測定要求信号に基づいて、表示部４４に表示される試験画像（表示色）を測定（測色）し、測定結果である色値をシステム制御装置５０に送信する。具体的には、測定器６０は、表示部４４の表示画面に表示される試験画像を撮影し、この撮影で得られる測定器６０の画素毎の測定値（例えばＸＹＺ値等の測定値）を測定データとして出力する。測定器６０としては、輝度色度測定装置や２次元色彩輝度計のような面輝度計、色彩輝度計、高精細デジタルカメラ、または、産業用カメラ等を使用することができる。
【００３１】
なお、測定器６０は、測定器毎に性能に違いがある場合がある。この性能の違いにより、測定器毎に誤差が生じることが考えられる。その場合は、許容できる誤差の基準を定め、当該基準を満たす測定器（基準測定器）または基準測定器の代用器を用いて、測色を行うことが好ましい。
【００３２】
［１．２  機能構成］
［１．２．１  表示装置］
つづいて、表示装置１０の構成について、図１を参照して説明する。表示装置１０は、インターフェース２０と、制御部３０と、記憶部４１と、電源ユニット４２と、操作部４３と、表示部４４とを備えている。
【００３３】
インターフェース２０は、制御部の統括制御部３１からの指示に従って、外部の機器（例えば、コンピュータ等の表示制御装置）との間でデータを送受信する機能部である。本実施形態では、ＴＭＤＳ（Transition Minimized Differential Signaling）方式でシリアル通信するためのＤＶＩ（Digital Visual Interface）端子２１と、ＨＤＭＩ（High-Definition Multimedia Interface、登録商標）端子２２と、ＴＣＰ（Transmission Control protocol）またはＵＤＰ（User Datagram Protocol）等の通信プロトコルで通信するためのＬＡＮ端子２３とＲＳ２３２Ｃ端子２４とを備えている。この他に、Display Port端子、ＵＳＢ端子、ＩＥＥＥ１３９４端子等を備えていてもよい。
【００３４】
制御部（信号処理部）３０は、表示装置１０を制御するコンピュータまたは制御回路であり、統括制御部３１と、映像データ処理部３２と、音声信号処理部３３と、パネルコントローラ３４と、モード設定部３５と、色特性マッチングデータ処理部３６との機能を実現する。
【００３５】
統括制御部３１は、表示装置１０の各ハードウェア全体を制御するブロックである。映像データ処理部３２は、インターフェース２０を介してシステム制御装置５０から映像データ（表示部４４に表示させる映像のデータ）が入力されると、この映像データに所定の処理を施すブロックである。音声信号処理部３３は、インターフェース２０を介してシステム制御装置５０から入力される音声信号（表示部４４のスピーカから出力される音声の信号）に所定の処理を施すブロックである。
【００３６】
パネルコントローラ３４は、表示部４４を制御して、映像データ処理部３２にて処理された映像データの映像を表示部４４に表示させるものである。また、パネルコントローラ３４は、システム制御装置５０から試験画像表示指示を受け付けると、色特性マッチングデータ生成用の試験画像を表示部４４に表示させる。
【００３７】
モード設定部３５は、後述する記憶部４１に記憶された複数種類の３ＤＬＵＴデータ（補正データ）を切り替えるための機能部である。本実施形態では、表示装置１０は、記憶部４１に複数の３ＤＬＵＴデータを記憶している。例えば、パネル表示特性の色域をできるだけ広く再現できる通常モードや、公知のｓＲＧＢの色再現域を実現するｓＲＧＢモードなどのモードを、ユーザが選択することで、対応する３ＤＬＵＴデータが選択される。
【００３８】
その他にも、特定階調を強調するモード（例えば、医療モード）や、特定場所を強調するモード（マルチ設定対応モード）に対応する３ＤＬＵＴデータを設定可能としてもよい。表示装置１０は、選択されたモードに対応した３ＤＬＵＴデータを後述する３ＤＬＵＴとして使用する。
【００３９】
なお、これらの３ＤＬＵＴデータは複数記憶していることとして説明するが、１つしか記憶されていなくてもよい。また、後からユーザが追加出来ることとしてもよい。
【００４０】
色特性マッチングデータ処理部３６は、記憶されている３ＤＬＵＴデータの中から、使用する３ＤＬＵＴデータを選択し、３ＤＬＵＴに設定する。
【００４１】
入力された映像データを表示部４４で表示する場合に、３ＤＬＵＴによる色特性変換を行って表示する。３ＤＬＵＴによる色変換は、各グリッド間のデータに関して、一般的に知られている八面体補間や四面体補間を行って展開されたデータを利用して色変換が実行される。
【００４２】
記憶部４１は、半導体メモリや磁気ディスク等の情報記憶装置であり、制御部３０にて扱われる各種データや、３ＤＬＵＴデータといった個々の表示装置１０に特有のデータが記憶される。
【００４３】
記憶部４１には、特に、マッチングデータ適用時に使用される３ＤＬＵＴデータがシステム制御装置５０の色特性マッチングデータ生成処理部５３にて生成された場合に、これらの３ＤＬＵＴデータが記憶される。
【００４４】
電源ユニット４２は、外部から供給される電力を制御する機能部である。統括制御部３１は、操作部４３が有する電源スイッチ（図示せず）から入力される操作指示に応じて、電源ユニット４２に、電力を供給させる、または、電力の供給を遮断させる。電源スイッチから入力される操作指示が電源オンに切り替える操作指示である場合、表示装置１０の各ハードウェアに電力が供給され、電源スイッチから入力される操作指示が電源オフに切り替える操作指示である場合、表示装置１０の各ハードウェアに供給される電力が遮断される。
【００４５】
操作部４３は、ユーザが各種指示を入力するための操作ユニットである。例えば、電源スイッチやボタンといったハードウェアスイッチにより構成されている。また、ＯＳＤ（On-Screen Display）によって各種指示を入力してもよいし、タッチ等による操作が可能なソフトウェアスイッチによって構成されていてもよい。
【００４６】
表示部４４は、例えば、液晶表示装置（ＬＣＤ）であり、パネルコントローラ３４に制御されることで映像を表示する。
【００４７】
［１．２．２  システム制御装置］
つづいて、システム制御装置５０の構成について、図１を参照して説明する。システム制御装置５０は、制御部５１と、インターフェース５２と、色特性マッチングデータ生成処理部５３と、記憶部５４とを備えている。
【００４８】
制御部５１は、システム制御装置５０の全体を制御するための機能部である。制御部５１は、記憶部５４に記憶されている各種プログラムを読み出して実行することにより各種機能を実現しており、例えばＣＰＵ（Central Processing Unit）等により構成されている。
【００４９】
インターフェース５２は、制御部５１からの指示に従って、外部の機器（例えば、表示装置１０や測定器６０）との間でデータを送受信する機能部である。インターフェース５２には、例えば、表示装置１０に対して映像データを送信するためのインターフェースとして、ＤＶＩ端子、ＨＤＭＩ端子、Display Port端子等が備えられている。また、表示装置１０や測定器６０とデータを送受信するためのＲＳ２３２Ｃ端子、ＵＳＢ端子、ＩＥＥＥ１３９４端子等や、ＴＣＰまたはＵＤＰ等の通信プロトコルで通信するためのＬＡＮ端子が備えられている。
【００５０】
色特性マッチングデータ生成処理部５３は、表示装置１０の表示部４４の指定階調での色特性を取得し、目標とする色再現特性の色に合うように３ＤＬＵＴデータの生成を行う。なお、生成された３ＤＬＵＴデータは、インターフェース５２を介して、表示装置１０に転送され、記憶部４１に記憶される。色特性マッチングデータ生成処理部５３で実行する色特性マッチングデータ生成処理の詳細は後述する。
【００５１】
記憶部５４は、システム制御装置５０の動作に必要な各種プログラムや、各種データが記憶されている機能部である。記憶部５４は、例えば、半導体メモリや、ＨＤＤ（Hard Disk Drive）等により構成されている。
【００５２】
特に、記憶部５４は、色特性マッチングデータ生成処理部５３において、同一機種の全ての表示装置１０において共通に利用されるデータが記憶される。
【００５３】
ここで同一機種とは、以下のような場合の表示装置をいう。
（１）同じ型番の表示装置、同じシリーズの表示装置
表示装置として、同じ型番や、同じシリーズの装置である。このような、同型番等の場合、表示特性として同じ傾向になる場合が多いからである。
（２）同一メーカの表示パネルを利用した表示装置
同じ型番の表示装置であっても、異なる表示パネルを利用する場合がある。このような場合、同一メーカ、同一系統の表示パネル毎を同一機種という。表示パネル毎に表示特性が同じ傾向になるからである。
（３）同じ製造ライン、同時期の製造時期に製造された表示装置
同じ製造ラインで利用されたものは、同一の表示パネルが使われたり、生産設備により表示特性が近くなったりするからである。
なお、これらの条件は組み合わせてもよい。
【００５４】
記憶部５４に記憶されるデータとして、基準データ特性値と、目標色特性値とが含まれる。基準データ特性値とは、多数の同一種類の表示装置１０の中から基準となる表示装置１０を１台又は複数台選択し、測定器６０を用いて基準データとして必要とされる階調数の測定を行ない、測定結果に基づいて作成したデータである。また、目標色特性値とは、同一機種の目標とする色再現特性に基づいて作成したデータである。
【００５５】
次に、図１に示す色特性マッチングデータ生成処理部５３を説明する。色特性マッチングデータ生成処理部５３は、表示部４４に表示される試験画像の測定が測定器６０にて行われた後、測定によって得られた測定データを入力して、測定データに基づいて色特性マッチングデータ生成処理を行う。なお、以下の説明では、１枚の試験画像から得られるデータを１つの測定データとする。つまり、１つの測定データは、１枚の試験画像を撮影して得られる表示面内の中央部のデータであり、測定器６０によって得られる測定値（ＸＹＺ値）である。
【００５６】
目標色特性値は、目標とする（本来表示すべきと考えられる）色特性値である。目標色特性値は、表示パネルの表示特性の色域をできるだけ広く再現できるように作成した通常モード用や、公知のｓＲＧＢの色再現域を実現するｓＲＧＢモード用等、複数のモード毎に用意してもよい。
【００５７】
色特性マッチングデータ生成処理部５３は、目標色特性値に基づいて、表示パネルの色再現特性に応じた補正データ（３ＤＬＵＴデータ）を生成する。色特性マッチングデータ生成処理部５３によって作成された補正データは、表示装置１０の記憶部４１に出力し、記憶される。表示装置１０において、制御部３０（モード設定部３５）は、画像を表示部４４（表示パネル）に表示するとき、当該補正データに基づいて出力する画像等の色を適切に補正する。なお、例えば表示する画像や、表示装置の利用環境に応じて、ユーザの意図に応じてモードを切り替えることで、補正データが切り替わる。これにより、ユーザの意図に応じた色出力にて表示することができる。
【００５８】
色特性マッチングデータ生成処理が行われる表示装置１０を構成する表示較正システム１に色特性マッチングデータ生成処理指示が入力されると、システム制御装置５０が、表示装置１０に試験画像表示指示を送信することで表示部４４に試験画像を表示させ、測定器６０に試験画像を測定させて測定データを出力させる。システム制御装置５０は、測定データを測定器６０から受信して、一旦記憶部５４に記憶する。つづいて、記憶部５４に記憶された測定データは、色特性マッチングデータ生成処理部５３に入力される。さらに、色特性マッチングデータ生成処理部５３において３ＤＬＵＴデータを求め、当該３ＤＬＵＴデータを表示装置１０に転送し、色特性マッチングデータ処理部３６により３ＤＬＵＴに書き込まれることにより、色特性マッチングデータを動作状態にする。
【００５９】
また、表示部４４の測定を行なうには、システム制御装置５０に測定器６０とデータのやり取りを可能とするツール（アプリケーション）をインストールし、測定器６０と、例えばＵＳＢやＬＡＮ等で接続して行う。ここで、システム制御装置５０が表示部４４に測定したい試験画像を表示してから、測定者が測定器６０で測定し、測定データを保存するということを順次行なってもよい。しかし、試験画像は複数枚（百数十種類の階調）あり、表示および撮影の操作指示を必要な試験画像の数だけ繰り返すと、時間がかかって大変であり、誤操作の可能性もある。そこで、システム制御装置５０が、表示部４４および測定器６０を制御し、「画像表示」「測定」「測定データの保存」「画像の変更」の一連の動作を自動で行ってもよい。
【００６０】
また、測定器６０の測定条件（カメラで撮像する場合のシャッタースピード、絞り、フォーカス、測定回数等）の設定やデータ管理（データ保存）等もシステム制御装置５０で行なうと効率がよい。
【００６１】
［１．３  システム構成］
図２に本発明のシステム構成図を示す。本システムは色較正を行う対象となる表示パネル（表示装置１０の表示部４４）と、試験画像を表示して撮像し、撮像された試験画像より各画素の測定（測色）を行う測定器６０と、データ処理用のコンピュータであるシステム制御装置５０との３つを有して構成される。なお、測定器６０は非接触型の測色器の例を示しているが、接触型の測色器でも同様に実行可能である。
【００６２】
それぞれの表示装置１０は、工場出荷時に色特性マッチングを行うために色測定が実施される。また、測定されたデータをもとに各モード毎に３ＤＬＵＴデータの生成が行われることで、表示装置１０の特性に沿った３ＤＬＵＴデータが生成される。
【００６３】
図２のシステム構成図の矢印はシステム制御装置からの実行ステップを示し、下記の順番に処理される。
（１）システム制御装置５０が表示装置１０を制御
（２）システム制御装置５０が試験画像を表示装置１０の表示部４４（対象パネル）に表示
（３）システム制御装置５０が測定器６０を制御
（４）表示部４４に表示されている試験画像を撮影
（５）システム制御装置５０は測定データ（色データ（ＸＹＺ））を取得
（６）システム制御装置５０は取得した測定データから表示装置１０の色特性マッチングデータ（３ＤＬＵＴデータ）を生成
（７）システム制御装置５０は色特性マッチングデータ（３ＤＬＵＴデータ）を表示装置１０の３ＤＬＵＴに転送し、設定する。
【００６４】
なお、表示装置１０に内部パターンとして色パターンを記憶させ、上述した（２）の処理において、システム制御装置５０が試験画像を表示させる代わりに、表示部４４（対象パネル）に当該色パターン表示させる制御をシステム制御装置５０が行ってもよい。
【００６５】
［１．４  処理の流れ］
［１．４．１  全体の流れ］
本実施形態の処理の流れを、図３を参照して説明する。図３の処理は、システム制御装置５０において実行される処理である。なお、３ＤＬＵＴデータの生成対象であり、表示を較正する対象となる表示装置１０を、以下、対象表示装置という。
【００６６】
はじめに、システム制御装置５０（制御部５１）は、対象表示装置の識別番号（例えば、型番や、シリーズがわかる識別情報、シリアル番号等）を取得する（ステップＳ１０２）。つづいて、制御部５１は、対象表示装置のパネル本体に記憶されている３ＤＬＵＴデータ（補正データ）を初期化する。これにより、３ＤＬＵＴデータが未調整のデータに設定し（ステップＳ１０４）、この状態で測定を開始する。
【００６７】
例えば、８ｂｉｔ階調の３ＤＬＵＴの場合、０、３２、６４、９６、１２８、１６０、１９２、２２４、２５５の９階調の組み合わせからなる７２９色のＲＧＢ値が初期値として設定される。なお、当該３ＤＬＵＴに設定される階調の組み合わせを、本実施形態では第２の階調データという。ここで、第２の階調データの色数は７２９色である。
【００６８】
つづいて、色特性マッチングデータ生成処理の回数を示すループカウンターを初期値として「０」に設定する（ステップＳ１０６）。処理回数は最大３回まで（これに限定されない）に設定する。そして、ループカウンターが「３」未満かどうかを判定し、「３」未満であれば次のステップであるＮ色測定を実行する。Ｎ色測定がし、パネル測色値を取得する（ステップＳ１０８；Ｙｅｓ→ステップＳ１１０）。
【００６９】
測定は、対象表示装置に試験画像を表示させ、測定器６０で表示面の中央部の色を測定することで行う。測定器６０はＣＩＥ  ＸＹＺ表色系で規定されている三刺激値ＸＹＺ値を表示装置１０の面内中央データ（表示部のデータ）として取得し、データ処理用ＰＣに転送する。この測定処理を表示装置１０の表示部４４に表示される試験画像の色を切り替えながら、グレー色を含めた複数の色（Ｎ色：Ｎは自然数。例えば、Ｎは１２５色。）について行う。ここで、試験画像の色は第２の階調データの一部であるとし、当該試験画像の色を示す階調を、本実施形態では第１の階調データという。ここで、第１の階調データの色数は１２５色である。また、対象表示装置に対して測定器６０によって測色する色の数を測色数という。
【００７０】
つづいて、測定された各色における表示部４４の測定データＸＹＺ値（パネル測色値）に基づき、色特性マッチングデータ生成処理を実行する（ステップＳ１１２）。本処理は、複数色のＸＹＺ値から表示装置１０の特性を反映した事前に決定されている基準データ特性値を使って、表示面の色再現特性を目標値の色再現特性に一致させるようなＲＧＢの３ＤＬＵＴの補正値である色特性マッチングデータを求める。この色特性マッチングデータ生成処理の詳細については後述する。
【００７１】
また、表示装置１０のバラツキを含んだ差分データは既に測定によって得られているため、同様に別の目標値ＸＹＺファイルに切り替えて、この目標値の色再現特性に一致させるような別モード用のＲＧＢの３ＤＬＵＴ補正値を続けて求めることもできる。
【００７２】
さらに、システム制御装置５０は、マッチング補正を実行する（ステップＳ１０４）。具体的には、ステップＳ１０２で入力した識別番号に対応する表示装置１０（対象表示装置）に、生成済みの色特性マッチング補正値のデータを出力する。表示装置１０は、色特性マッチング補正値のデータを受信し、３ＤＬＵＴデータとして記憶する。その後、記憶された３ＤＬＵＴデータに基づいて、３ＤＬＵＴが設定される。
【００７３】
この処理により、生成した３ＤＬＵＴデータが対象表示装置に設定された状態となり、３ＤＬＵＴに設定されている色特性マッチングデータが動作状態となる。対象表示装置の表示は、３ＤＬＵＴを通して、色特性マッチングデータによる補正が適用された較正後の状態になる。
【００７４】
この状態のまま、生成した３ＤＬＵＴデータが目標値の色再現特性を満たしているかどうかの評価判定を実施する。具体的には、次のＭ色測定のステップにより、複数の色（Ｍ色：Ｍは自然数。例えば、Ｍは３０色である。）を順番に表示し、それぞれ測定を行う（ステップＳ１１６）。なお、本実施形態では、Ｍ色は、Ｒ,Ｇ,Ｂ,Ｃ,Ｍ,Ｙの各色軸上で５階調を選択し、６色×５階調＝３０色としているが、この色数に限定されない。
【００７５】
まず、測定したＭ色のＸＹＺ値とそれに対応する階調での目標値データＸＹＺ値をそれぞれＣＩＥ１９７６Ｌ＊ａ＊ｂ＊データ（ＣＩＥ：Commission Internationale de l'Eclairage：国際照明委員会。Ｌ＊：明度、ａ＊・ｂ＊：色度）に変換する。つづいて、差分となる色差Delta Eや、ＸＹＺ値をｘｙ色度に変換し、色度図上での差分値をそれぞれ求める。求めた値が、予め設定している検査基準（色差３．０以下、色度差ｄｘ＝０．００５以下、ｄｙ＝０．００５以下など）を判定用Ｍ色のすべての色において満たしているかどうかの評価判定を行う（ステップＳ１１８）。
【００７６】
検査基準を満たしていれば、色特性マッチングデータ生成処理は終了となる（ステップＳ１２０；Ｙｅｓ）。基準を満たしていない場合は、３ＤＬＵＴデータ生成処理の回数を示すループカウンターを一つ増やし（ステップＳ１２０；Ｎｏ→ステップＳ１２２）、ループカウンターが最大値設定３以内であれば、再度Ｎ色測定（データ生成用）に手順に戻り（ステップＳ１０８；Ｙｅｓ→ステップＳ１１０）、以降、同じように色特性マッチングデータ生成からの処理を実行する。
【００７７】
なお、再度の色特性マッチングデータ生成処理においては、前の処理で生成された３ＤＬＵＴデータに対して、今回の再測定ルーチンで求めた追加の補正量分を追加加算して３ＤＬＵＴデータが生成されてもよい。すなわち、再測定においては、対象表示装置には前の処理で生成された３ＤＬＵＴデータが適用されている状態となっている。
【００７８】
すなわち、基準データ特性値の代わりに、生成された色特性マッチングデータを利用してもよい。このように、一度測色されたデータに基づいた色特性が加味されることにより、より適切な較正を行うことができる。
【００７９】
このような状態で、測定されたＸＹＺ値が目標色特性値のＸＹＺ値と同じ値になった場合は、再測定によって出力する３ＤＬＵＴデータは、前の処理で生成された３ＤＬＵＴデータと同じ値を維持してもよい。目標色に対して、緑が薄い、緑が濃いといった差分があれば、前の処理で生成された３ＤＬＵＴデータから、差分がある３ＤＬＵＴデータが追加修正されることとなる。
【００８０】
再生成された３ＤＬＵＴデータを設定し、評価色判定し、評価用の色すべてにおいて検査基準以内を満たしていれば、本処理が終了となり、検査基準を満たしている上記補正値を格納した３ＤＬＵＴ補正テーブルが各表示装置１０の記憶部４１に格納される。
【００８１】
［１．４．２  色特性マッチングデータ生成処理］
色特性マッチングデータ生成処理について、図４を参照して説明する。色特性マッチングデータ生成処理は色特性マッチングデータ生成処理部５３において行われる処理である。
【００８２】
色特性マッチングデータ生成処理部５３は、パネルの色再現特性を鑑み、以下のデータの入力に基づき、最終的にＲＧＢ−ＲＧＢ変換を示す３ＤＬＵＴ設定データとなる補正値データを出力する。
（１）予め作成している、再現したい色特性関係式（ＲＧＢ−ＸＹＺ）を示した目標色特性値（入力１）
（２）複数の表示装置１０の色再現特性バラツキの中から、できるだけバラツキ範囲の中央値にあるような基準パネルを選択して、測定して得られた色特性関係式（ＲＧＢ−ＸＹＺ）を示した基準データ特性値（入力２）
（３）図２のシステム構成図において、生産工程で対象パネルに対し、複数の色を測定して得られた色特性関係式（ＲＧＢ−ＸＹＺ）を示したパネル測色値（入力３）
【００８３】
ここで、図５（ａ）に示すように、８ｂｉｔ値の場合、５×５×５のグリッド構成とは、階調値が（０，６４，１２８，１９２，２５５）の５階調の組み合わせで構成される３次元の階調データ（第１の階調データ、１２５色）を表し、図５（ｂ）に示すように、９×９×９のグリッド構成とは、階調値が（０，３２，６４，９６，１２８，１６０，１９２，２２４，２５５）の９階調の組み合わせで構成される３次元の階調データ（第２の階調データ、７２９色）を表す。
【００８４】
入力１のデータは、予め作成された目標色特性値であり、９×９×９のグリッド構成の３ＤＬＵＴデータに該当する、第２の階調データに対応した色値のデータである。目標色特性値は図６（ａ）に示す基準データ特性値と同じ構成の７２９色のＲＧＢ−ＸＹＺのデータであり、事前に目標とする色再現特性をＸＹＺ値の７２９色で作成する。
【００８５】
入力２のデータは、予め作成された基準データ特性値であり、図６（ａ）に示すように、９×９×９のグリッド構成の３ＤＬＵＴデータに該当する第２の階調データに対応した色値のデータである。入力２のデータ処理は、はじめに、基準データ特性値から、図６（ｂ）に示すように、５×５×５のグリッド構成の３ＤＬＵＴデータに該当する階調（第１の階調データ）の組み合わせと一致する１２５色のデータを抽出する。つづいて、グリッドとグリッドの間（グリッド間）の値、すなわち、第１の階調データには含まれず、第２階調データにのみに含まれる階調に対する色値を線形補間によって求め、９×９×９のグリッド構成の７２９色補間データを作成する（入力２ａ）。
【００８６】
ここで、図７に測定データと補間データとの関係を示した図を示す。図７において、米印で示した点が実際に測定器６０によって測定した実測点であり、三角で示した点が線形補間によって求めた点である。なお、図７には、線形補間によって求めた点の一部を示している。ここで、実測点は５×５×５のグリッド構成の１２５色である。また、実測点それぞれのグリッドどうしの間に位置するグリッドデータを補間演算で求めて、９×９×９のグリッド構成の３ＤＬＵＴデータに拡張している。
【００８７】
さらに、この線形補間を使って作成された７２９色のデータ（入力２ａ）と補間を使用せずに７２９色のデータを保持している基準データ特性値（入力２）とから、入力２ａから入力２を減じることで差分データ（７２９色分）を求める。
差分データ(入力２ｂ)
＝基準データ特性値補間データ(入力２ａ)  −  基準データ特性値(入力２）
【００８８】
図８を参照して具体例を説明する。図８（ａ）は基準データ特性値（入力２）である。また、図８（ｂ）は基準データ特性値から５×５×５のグリッド構成の３ＤＬＵＴデータに該当する階調の組み合わせと一致する１２５色のデータを抽出し、線形補間を行った、基準データ特性値補間データである。また、図８（ｃ）は、基準データ特性値補間データ（図８（ｂ））から、基準データ特性値（図８（ａ））を減じた差分データである。
【００８９】
差分データは、図８（ｃ）に示すように、５×５×５グリッド構成と一致する１２５色は同じ値であるため、これらのグリッド上の差分データは常に０となるが、それ以外のグリッド上では、差分値が発生する。これは線形補間による補間特性と、実際のパネル表示特性に実測値との差分特性を表わしている。この差分特性は下記のパネル測色値（入力３）のデータ処理で線形補間後に使用する。
【００９０】
入力３のデータ処理の流れは、以下のとおりである。はじめに、対象表示装置において、５×５×５グリッド構成の３ＤＬＵＴデータを作成する。具体的には、５×５×５グリッドの各グリッドにおける階調（第１の階調データ）に対応する試験画像を表示部４４に表示させ、測定器６０によって色を測定する。５×５×５グリッドに含まれる色の数は１２５色である。したがって、本実施形態の測色数は１２５である。
【００９１】
図９に、５×５×５グリッド構成の３ＤＬＵＴデータに該当する１２５色を生産工程で測定したパネル測色値の一例を示す。この値は、試験画像を対象表示装置のパネルに表示させ、測定器６０を用いて求めた値である。つづいて、これらのデータを線形補間によって７２９色のデータへ展開する（入力３ａ）。これを、パネル測色値補間データ（補間データ）という。
【００９２】
バラツキを持つパネルの特性情報を精度良く得るためには、本来なら７２９色の測定データＸＹＺ値の測定が望ましいが、生産工程では測定時間の制約を受けるため、測定される色数は７２９色よりもかなり少ない色数の１２５色としている。
【００９３】
さらに、パネル測色値補間データから、入力２で展開して求めた差分データ（入力２ｂ）をそれぞれ減算して求め、９×９×９グリッド構成の３ＤＬＵＴデータに該当する７２９色のパネル測色値拡張データ（拡張データ）として更新する。これは、補間演算と実測値とのズレを補うために行う処理である。パネル測色値拡張データは次の式によって求める。
パネル測色値拡張データ(入力３ｂ)
＝パネル測色値補間データ(入力３ａ)  −  差分データ(入力２ｂ)
【００９４】
実測値１２５色を線形補間によって７２９色に補間展開した後に、精度向上のため、実際に測定していないグリッド上の値を線形補間データとパネル特性の差分を表わす差分データを使って再補正することによって、７２９色の補間精度を単純な線形補間から、より実際のパネルの表示特性に近い測色値に補正した補間データとして得ることできる。
【００９５】
これは、生産工程で７２９色を測定した場合に取得できるＸＹＺ値とほぼ近い精度の値で取得する可能なことを意味しており、これらの手法により、生産工程などでの少ない測定数であっても、７２９色分の実測データに近い精度の良い測定値が得られ、次のデータ変換処理での変換精度向上につながる。
【００９６】
本実施形態におけるパネル測色値補間データと、パネル測色値拡張データとについて、階調レベルを横軸に、ＸＹＺ値のうちのＹ値を縦軸としたグラフを図１０に示す。グラフにおいて、黒い点で示した点が、対象表示装置を測定器６０によって測定したときの値（パネル測色値）であり、具体的には、階調レベルが０、６４、１２８、１９２、２５５の５点である。また、前記階調レベルが３２、９６、１６０、２２４のときのＸＹＺ値は測定しないため、線形補間を行う。線形補間によって求めたＹ値をひし形の点で表している。また、黒い点とひし形の点とを繋いだ線を破線で表しており、この破線で結ばれた点の値がパネル測色値補間データである。
【００９７】
ここで、パネル測色値補間データから差分データを減算した点を正方形の点で表している。また、黒い点と正方形の点とを繋いだ線を実線で表しており、この実践で結ばれた点の値がパネル測色値拡張データである。図１０の例ではパネル測色値補間データに比べ、パネル測色値拡張データはＹ値が低くなり、グラフの形状も滑らかなものとなっている。
【００９８】
最後に目標色特性値(入力１)とパネル測色値拡張データ(入力３ｂ)の２つのデータを使い、図４のデータ変換処理を行う。データ変換処理は、はじめに、パネル測色値拡張データ内の３次元空間内を順次探索し、それぞれ設定している目標色特性値データに近いグリッド点を抽出する。つづいて、そのグリッド点からの距離を計算し、その距離の大きさに比例するようなＲＧＢ値を求め、最終的に目標色特性値ＸＹＺに一番近い値を実現することが可能なＲＧＢの出力値を各７２９色分算出する。当該算出した値が、色特性マッチングデータ生成処理部５３で出力される３ＤＬＵＴデータ（ＲＧＢ−ＲＧＢ）となる。
【００９９】
上述した処理の流れを、具体的に説明する。図９において、Ｒ＝０、Ｇ＝０、Ｂ＝３２のときのＸＹＺ値は測定されていないため、線形補間によってＸＹＺ値を求め、さらに差分データの値を減じて、拡張データを算出する。例えば拡張データとして、Ｘ＝２．４３１、Ｙ＝１．０、Ｚ＝１４．３の値がそれぞれ得られたとする。
【０１００】
つづいて、目標色特性値のグリッドから、拡張データの値に最も近いグリッドを探索する。ここで、目標色特性値の（０，０，１）のグリッド、すなわちＲ＝０、Ｇ＝０、Ｂ＝３２が最も近いグリッドだったとする。このとき、目標色特性値の（０，０，１）のグリッドにおけるＸＹＺ値のうち、Ｚの値が２４だった場合、補間係数は、（２４−１４．３）／（４８．１−１４．３）＝０．２８７である。また、このときのＲＧＢのＢの値は、３２×０．２８７＋３２≒４１と求められる。同様にして、Ｒの値、Ｇの値は０である。したがって、対象表示装置においては、Ｒ＝０、Ｇ＝０、Ｂ＝３２の入力に対して、Ｒ＝０、Ｇ＝０、Ｂ＝４１を出力すると、目標色特性値に近い表示が可能となる。
【０１０１】
図１１に３ＤＬＵＴ補正後データの一例を示す。９×９×９グリッド構成の７２９色分の補正値を持ったＲＧＢ値の３ＤＬＵＴデータが出力される。
【０１０２】
本手法によれば、面内色ムラ補正が実施され、表示装置１０の表示面内の色均一補正が行われているパネルに対して、個別のディスプレイの個体差バラツキを吸収しつつ、設定している目標値特性に近くするための３ＤＬＵＴデータを精度良く生成し、表示装置１０の表示の較正をすることが可能となる。
【０１０３】
また、生成された３ＤＬＵＴデータを適用した３ＤＬＵＴによるカラーマネジメントにより、ターゲットに対する高い色再現性を実現することによって、表示面間の色の個体差、バラツキを低減することを可能である。また、さらに共通の目標値特性に合わせることで、マルチディスプレイ構成の場合に、設置導入時の調整なしにマルチディスプレイ全体で一体感のある高品位な表示が可能となる。
【０１０４】
システム制御装置５０で３ＤＬＵＴデータを生成することにより、表示装置１０は３ＤＬＵＴを搭載していればよい。さらに、同一機種の複数の表示装置１０について３ＤＬＵＴデータを生成する場合、記憶部５４に記憶された基準データ特性値や目標色特性値を繰り返し使用することができ、効率的である。
【０１０５】
さらに、本実施形態におけるシステム制御装置５０で生成された３ＤＬＵＴデータが転送されることにより、特性が補正された表示パネルを有する表示装置１０を生産してもよい。
【０１０６】
なお、経年劣化への対応等、既に特性が補正された表示パネルを有する表示装置１０に対して再度の較正を行う場合は、基準データ特性値の代わりに表示装置１０において既に設定済みの３ＤＬＵＴデータを用いて、測定値を補正してもよい。
【０１０７】
具体的には、システム制御装置５０と同じ挙動をするアプリケーションをインストールした情報処理装置（例えば、ノートＰＣ等）と、表示装置１０が設置された現場において測定器とを用いて３ＤＬＵＴデータの再作成及び設定を行う。例えば、複数の表示装置１０が設置されている場合は、目標色特性値として、表示面間のバラツキを抑えるために、設置されている表示装置１０の色域を満たす新しい共通目標値特性を作成する。また、測定値の補正は、情報処理装置が各表示装置１０に既に設定済みの３ＤＬＵＴデータをダウンロードし、当該３ＤＬＵＴデータと測定値とを紐付けして、アプリケーション側で補正を行う。
【０１０８】
表示装置１０に設定された３ＤＬＵＴデータに基づいて測定値を補正することで、３ＤＬＵＴデータを精度良く生成することが可能となる。また、経年劣化を想定した現場での再補正については、システム制御装置５０と同じ挙動をするアプリケーションをインストールしている情報処理装置でも対応可能となる。
【０１０９】
［２．第２実施形態］
つづいて、第２実施形態について説明する。第２実施形態は、第１実施形態と構成は同じであるが、色特性マッチングデータ生成処理を図４から図１２に置き換えた実施形態であり、入力３で、パネル測色値に追加色（本実施形態では１９色）を加えた点が異なる。すなわち本実施形態は、パネルを測定する色を追加し、補間、差分データでの補正を行った後に、補間データを実測値データで上書きする実施形態である。
【０１１０】
第１実施形態においては、生産工程における測色数に制約があった場合での実施例であるが、測定器の性能向上により、より高速、かつ正確に測定が行える環境にある場合、パネル測色の色を部分的に追加することもできる。
【０１１１】
例えば、暗部などの暗い色では、測定誤差によるバラツキが増加する傾向にある。ここで、第２の階調データには、暗部での補間色である０、３２、６４階調による組み合わせで構成される２７通りが含まれる。このうち、通常計測される（第１の階調データに含まれる）８点以外の点は、補間によって算出されるグリッドに該当する。
【０１１２】
そこで、第２の階調データにのみ含まれる階調である以下の１９色をパネル測色値に加え、パネルの測定を１４４色（１２５ + １９色）とし、暗部は実際に計測された値を用いて３ＤＬＵＴデータを生成する。
ＲＧＢ＝（０，０，３２），（０，３２，０），（０，３２，３２），
（０，３２，６４），（０，６４，３２），（３２，０，０），
（３２，０，３２），（３２，０，６４），（３２，３２，０），
（３２，３２，３２），（３２，３２，６４），（３２，６４，０），
（３２，６４，３２），（３２，６４，６４），（６４，０，３２），
（６４，３２，０），（６４，３２，３２），（６４，３２，６４），
（６４，６４，３２）
【０１１３】
本実施形態の処理手順は第１実施形態の色特性マッチングデータ生成処理とほぼ同様であるが、図１２の色特性マッチングデータ生成フローにおいて、パネル測色値（入力３）を補間（入力３a）及び補正（入力３ｂ）後において、上記の１９色に該当するグリッド値のみを実測ＸＹＺ値で置き換える(入力３ｃ)。
【０１１４】
上述した処理によって、補間値でなく、実際に測定した実測値を使用することができ、パネル特性値を示す色特性ＸＹＺ値の精度向上が実現できる。なお、追加で測定する色組み合わせと色数はこれらに限定されず、追加測定色を自由に決定し、事前にシステムに設定しておけばよい。
【０１１５】
［３．第３実施形態］
つづいて、第３実施形態について説明する。第３実施形態は、第１実施形態と構成は同じであるが、２回目以降の色特性マッチングデータ生成処理を図４から図１３に置き換えた実施形態である。本実施形態は、２回目以降の色特性マッチングデータ生成処理において、入力２として基準データ特性値ではなく目標値特定値を入力する点が異なる。
【０１１６】
１回目の処理結果の判定において、基準を満たさなかった場合には、再度パネルを測定することで取得できるパネル測色値に基づき色特性マッチングデータを生成し、マッチング補正を実行するが（再補正処理）、再補正処理では、初回補正で生成された３ＤＬＵＴデータをパネルに適用した状態で、測定を開始する。このため、既にパネル特性は目標値特性にかなり近い状態となっている。
【０１１７】
そのため、この状態で測定された１２５色のパネル測色値を７２９色へ展開する際に、初回に使用した基準データ特性値を使って差分データを作成するのではなく、目標色特性値を使って差分データを作成する方が望ましい。そこで、本実施形態では、再補正処理における色特性マッチングデータ生成フローでは、入力２は入力１と同じ目標色特性値を使用する。
【０１１８】
具体的な処理の流れを図１４に示す。なお、第１実施形態と同一の処理には同一の符号を付し、その説明を省略する。対象表示装置についてＮ色測定をした後（ステップＳ１１０）、つづいて、ループカウンター（Ｌ）の値が０か否かを判定する（ステップＳ３０２）。Ｌ＝０の場合は初回補正であり、入力２を基準データ特性値として色特性マッチングデータ生成処理を実行し、色特性マッチングデータを生成する（ステップＳ３０２；Ｙｅｓ→ステップＳ３０４）。Ｌ＝０でない場合は、再補正処理であり、入力２を目標色特性値として色特性マッチングデータ生成処理を実行し、色特性マッチングデータを生成する（ステップＳ３０２；Ｎｏ→ステップＳ３０６）。
【０１１９】
以上により、再補正処理においても、より精度の高い測定補間データを生成することが可能となり、色特性マッチングデータの精度が向上する。
【０１２０】
なお、このときシステム制御装置５０は、表示装置１０から３ＤＬＵＴデータを読み出すこととしてもよい。基準データ特性値の代わりに、読み出された３ＤＬＵＴデータに基づいたデータが利用されることにより、より適切な較正を行うことが可能となる。
【０１２１】
［４．第４実施形態］
つづいて、第４実施形態について説明する。第４実施形態は、システム制御装置５０で３ＤＬＵＴデータを生成するのではなく、表示装置１２が３ＤＬＵＴデータを生成する実施形態である。
【０１２２】
本実施形態における表示装置１２は、第１実施形態で示した表示装置１０の機能構成に、色特性マッチングデータ生成処理部を更に備える。また、本実施形態における表示装置１２の記憶部４１には、基準データ特性値と、目標色特性値とが含まれる。
【０１２３】
また、本実施形態は、第１実施形態のシステム構成図を、図２から図１５へ置き換えたものである。システム構成図の矢印はシステム制御装置からの実行ステップを示し、本実施形態は、下記の順番に処理される。
（１）システム制御装置５０が表示装置１２を制御
（２）システム制御装置５０が試験画像を表示装置１２の表示部４４（対象パネル）に表示
（３）システム制御装置５０が測定器６０を制御
（４）表示部４４に表示されている試験画像を撮影
（５）システム制御装置５０は測定データ（色データ（ＸＹＺ））を取得
（６）システム制御装置５０は測定データ（色データ（ＸＹＺ））を表示装置１２に転送
（７）表示装置１２は測定データ（色データ（ＸＹＺ））に基づき３ＤＬＵＴデータを生成
【０１２４】
なお、第１実施形態と同様に、（２）においてシステム制御装置５０が試験画像を表示させる代わりに、表示装置１２に内部パターンとして色パターンを記憶させ、表示部４４（対象パネル）に当該色パターン表示させる制御をシステム制御装置５０が行ってもよい。
【０１２５】
処理の流れは、図３に示した第１実施形態の処理とほぼ同様であるが、測定対象のパネルの識別番号の入力（ステップＳ１０２）が不要である。また、色特性マッチングデータ生成（ステップＳ１１２）及び評価判定（ステップＳ１１８）を表示装置１２で実行する点が異なる。
【０１２６】
なお、図１５では、システム制御装置５０が測定器６０の測定データを表示装置１２へ転送することとして記載しているが、表示装置１２が測定器６０の測定データを直接受信できてもよい。
【０１２７】
本実施形態によれば、表示装置１２が色特性マッチングデータ生成処理部を備えるため、３ＤＬＵＴデータの生成に必要なデータを入力すれば、表示装置１２だけで表示較正を行うことが可能となる。
【０１２８】
［５．第５実施形態］
第５実施形態は、上述した第１実施形態から第４実施形態に記載した方法で生成した３ＤＬＵＴデータにより、目標色特性値を高精度に実現した表示パネルを備えた表示装置１０を複数マトリクス状に配置し、１つの映像データを当該表示装置１０に分割して１つの映像として表示する実施形態である。
【０１２９】
複数のディスプレイをマトリクス状に配置することでマルチディスプレイとして構成し、大画面化して表示を行うシステムにおいては、各々のディスプレイの表示特性が完全に同一ではないため、ディスプレイ間で表示する階調や色が異なる場合があった。そこで、第１実施形態から第４実施形態に記載した方法によって生成した３ＤＬＵＴデータを表示装置１０の３ＤＬＵＴに書き込み、表示パネルの特性が目標色測定値を実現させることで、表示パネルの特性の違いを吸収する。
【０１３０】
このとき、マルチディスプレイとして構成する表示装置１０が、同一の目標色測定値を実現することで、表示面間の色均一性を実現することができる。したがって、１つの映像データを分割して１つの映像として表示する場合であっても、ディスプレイ間で表示する階調や色の異なりを抑えることが可能となり、高品位な表示が可能となる。
【０１３１】
上述した実施形態によれば、表示装置１０をマルチディスプレイ構成とした場合であっても、表示装置１０間のバラツキも抑制したフラットで均一性の良い大画面表示が実現でき、各々のディスプレイ間の色の見えをグレー色ののみならず、すべての色において均一に表示させ、表示面間のバラツキを抑制することができる。特に、表示パネルの面内の色均一補正が行われている状態で、さらに共通の目標値特性に合わせるため、マルチディスプレイ構成においても、設置導入時の調整なしに画面全体として高品位表示が可能となる。
【０１３２】
［６．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１３３】
また、色特性マッチングデータ生成処理部及びモード設定部は、集積回路（ＩＣチップ）等に形成された論理回路（ハードウェア）によって実現してもよいし、ＣＰＵ（Central Processing Unit）を用いてソフトウェアによって実現してもよい。例えば、表示装置が色特性マッチングデータ生成処理部及びモード設定部をソフトウェアによって実現する場合は、当該表示装置は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。
【０１３４】
また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１３５】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１３６】
１０  表示装置
２０  インターフェース
２１  ＤＶＩ端子
２２  ＨＤＭＩ端子
２３  ＬＡＮ端子
２４  ＲＳ２３２Ｃ端子
３０  制御部
３１  統括制御部
３２  映像データ処理部
３３  音声信号処理部
３４  パネルコントローラ
３５  モード設定部
３６  色特性マッチングデータ処理部
４１  記憶部
４２  電源ユニット
４３  操作部
４４  表示部
５０  システム制御装置
５１  制御部
５２  インターフェース
５３  色特性マッチングデータ生成処理部
５４  記憶部
６０  測定器
【図１】
2019095711.tif 000003
【図２】
2019095711.tif 000004
【図３】
2019095711.tif 000005
【図４】
2019095711.tif 000006
【図５】
2019095711.tif 000007
【図６】
2019095711.tif 000008
【図７】
2019095711.tif 000009
【図８】
2019095711.tif 000010
【図９】
2019095711.tif 000011
【図１０】
2019095711.tif 000012
【図１１】
2019095711.tif 000013
【図１２】
2019095711.tif 000014
【図１３】
2019095711.tif 000015
【図１４】
2019095711.tif 000016
【図１５】
2019095711.tif 000017